(57)【特許請求の範囲】
【請求項１】
特定多数の利用者の各種の医療データを入力する第１〜第ｎ端末装置と、所定のネットワークを介してそれら端末装置がアクセス可能なサーバと、光学読取装置とから形成され、
前記端末装置が、それに入力された前記医療データを前記サーバに送信するとともに、前記医療データを前記サーバに送信した送信日時を該サーバに送信する医療データ送信手段を実施し、前記サーバが、前記端末装置から送信された前記医療データと前記送信日時とを二次元コードに変換する二次元コード変換手段と、前記二次元コードと前記送信日時とを記憶する二次元コード・日時記憶手段と、前記二次元コードを該二次元コードに対応する医療データを送信した端末装置に送信する二次元コード送信手段とを実施し、前記端末装置が、前記サーバから送信された二次元コードを受信する二次元コード受信手段と、前記二次元コード受信手段によって受信した二次元コードを記憶する二次元コード記憶手段とを実施し、
前記光学読取装置が、前記二次元コードを読み取った場合、読み取った二次元コードを各種の医療データに変換する医療データ変換手段と、前記医療データ変換手段によって変換した医療データを出力する医療データ出力手段と、前記二次元コードを読み取った場合、前記二次元コードと前記送信日時とを前記サーバに送信する二次元コード・日時送信手段とを実施し、前記サーバが、前記二次元コード・日時記憶手段によって記憶した前記送信日時を参照しつつ、前記光学読取装置から送信された二次元コードに変換された医療データの送信日時が最新の送信日時か過去の送信日時かを判断する送信日時判断手段と、前記送信日時判断手段で判断した最新の送信日時または過去の送信日時を前記光学読取装置に送信する送信日時送信手段とを実施することを特徴とする医療データ管理システム。
【請求項２】
前記端末装置が、前記二次元コードを表示する二次元コード表示手段と、前記二次元コードを印字する二次元コード印字手段とを含み、前記医療データ管理システムでは、前記二次元コード印字手段によって印字された二次元コードが前記利用者の生活拠点の指定の箇所に貼付され、前記光学読取装置が前記生活拠点の指定の箇所に貼付された状態の二次元コードを読み取る請求項１に記載の医療データ管理システム。
【請求項３】
前記サーバが、前記二次元コードを暗号化する二次元コード暗号化手段を含み、前記光学読取装置が、暗号化された二次元コードを復号化する復号化手段を含む請求項１または請求項２に記載の医療データ管理システム。
【請求項４】
前記二次元コード変換手段では、特定の前記端末装置から前記医療データが送信される度毎にその医療データを二次元コードに変換し、前記二次元コード送信手段では、前記医療データが送信される度毎に変換された最新の二次元コードを前記端末装置に送信しつつ、医療データ更新情報を前記端末装置に送信する請求項１ないし請求項３いずれかに記載の医療データ管理システム。
【請求項５】
前記二次元コード記憶手段では、前記送信日時から最新の送信日時か過去の送信日時かを判断し、過去の送信日時に対応する二次元コードを最新の送信日時に対応する二次元コードに更新しつつ、過去の送信日時の二次元コードを消去する請求項１ないし請求項４いずれかに記載の医療データ管理システム。
【請求項６】
前記端末装置が、入力された過去から現在までの医療データを記憶する医療データ記憶手段と、最新の医療データを前記サーバに送信する前にその医療データと直近過去の医療データとを比較しつつ、最新の医療データと直近過去の医療データとの相違点を表示する相違点表示手段を含む請求項１ないし請求項５いずれかに記載の医療データ管理システム。
【請求項７】
前記端末装置が、最新の二次元コードに対応する利用者の医療データを表示する医療データ表示手段を含む請求項１ないし請求項６いずれかに記載の医療データ管理システム。
【請求項８】
前記光学読取装置が、前記二次元コードから変換した医療データを前記ネットワークを介して医療機関に送信する変換医療データ送信手段を含む請求項１ないし請求項７いずれかに記載の医療データ管理システム。
【請求項９】
前記医療データが、利用者の個人情報、利用者の既往症情報、利用者の現病歴情報、利用者の薬歴情報、利用者の常備薬情報、利用者のアレルギー情報、利用者の主治医医療機関情報、利用者の主治医情報、利用者の医療関係特記事項情報、利用者の感染症情報、利用者の検査結果情報、利用者の障害情報のうちの少なくとも前記個人情報、前記既往症情報、前記現病歴情報、前記薬歴情報である請求項１ないし請求項８いずれかに記載の医療データ管理システム。
【請求項１０】
前記二次元コードが、ＱＲコードである請求項１ないし請求項９いずれかに記載の医療データ管理システム。
【発明の詳細な説明】
【技術分野】
【０００１】
本発明は、各種の医療データを二次元コードに変換し、医療データを二次元コードとして管理する医療データ管理システムに関する。
【背景技術】
【０００２】
医療データを変換した２次元コードを撮影し、その２次元コードから医療データを読み取り、撮影した２次元コードを含む画像を医療データと関連付けて記憶する記憶手段と、医療データに関連付けられた画像から読み出した医療データと診療報酬を請求した医療データとを比較する医療データ比較手段とを有し、医療データ比較手段によって比較した医療データどうしの相違点を表示するレセプトコンピュータが開示されている（特許文献１参照）。このレセプトコンピュータは、情報処理技術を用いた医療データの伝達を利用して診療報酬の不正請求を防止することができる。
【先行技術文献】
【特許文献】
【０００３】
【特許文献１】特開２０１４−１５７５４０号公報
【発明の概要】
【発明が解決しようとする課題】
【０００４】
前記特許文献１に開示のレセプトコンピュータでは、利用者が保持する端末装置から入力された各種の医療データを二次元コードに変換することができず、利用者の各種医療データを二次元コードとして一元的に利用者に保持させることができない。なお、利用者が自己に関する医療データを保持していない場合、利用者の緊急時や要保護時、要介護時にその利用者の医療データを救急隊員や介助者、介護者が即座に確認することができず、利用者の医療データを医療機関に問い合わせなければならないから、利用者に施すべき医療措置や保護行為、介護行為を迅速かつ的確に判断することができない。特に、利用者が一人暮らしの老人であって、その利用者が自己の医療データを医療機関の治療明細やお薬手帳として保有している場合、治療明細やお薬手帳の保管場所を亡失したり、治療明細やお薬手帳を紛失する場合がある。また、その利用者の緊急時や要保護時に治療明細やお薬手帳を救急隊員や介助者に提示することは困難であり、救急隊員や介助者がその利用者の既往症や現病歴、薬歴、常備薬等の情報を即座に知ることができない。
【０００５】
本発明の目的は、利用者に自己の各種の医療データを二次元コードとして一元的に保持させることができる医療データ管理システムを提供することにある。本発明の他の目的は、緊急時や要保護時、要介護時に利用者の各種の医療データを即座に確認することができ、利用者の医療データを利用することで、救急隊員や介助者、介護者が利用者に施すべき医療措置や保護行為、介護行為を的確に判断することができる医療データ管理システムを提供することにある。
【課題を解決するための手段】
【０００６】
前記課題を解決するための本発明の医療データ管理システムの特徴は、特定多数の利用者の各種の医療データを入力する第１〜第ｎ端末装置と、所定のネットワークを介してそれら端末装置がアクセス可能なサーバと、光学読取装置とから形成され、端末装置が、それに入力された医療データをサーバに送信するとともに、医療データをサーバに送信した送信日時をサーバに送信する医療データ送信手段を実施し、サーバが、端末装置から送信された医療データと送信日時とを二次元コードに変換する二次元コード変換手段と、二次元コードと送信日時とを記憶する二次元コード・日時記憶手段と、二次元コードを該二次元コードに対応する医療データを送信した端末装置に送信する二次元コード送信手段とを実施し、端末装置が、サーバから送信された二次元コードを受信する二次元コード受信手段と、二次元コード受信手段によって受信した二次元コードを記憶する二次元コード記憶手段とを実施し、光学読取装置が、二次元コードを読み取った場合、読み取った二次元コードを各種の医療データに変換する医療データ変換手段と、医療データ変換手段によって変換した医療データを出力する医療データ出力手段と、二次元コードを読み取った場合、二次元コードと送信日時とをサーバに送信する二次元コード・日時送信手段とを実施し、サーバが、二次元コード・日時記憶手段によって記憶した送信日時を参照しつつ、光学読取装置から送信された二次元コードに変換された医療データの送信日時が最新の送信日時か過去の送信日時かを判断する送信日時判断手段と、送信日時判断手段で判断した最新の送信日時または過去の送信日時を光学読取装置に送信する送信日時送信手段とを実施することにある。
【０００７】
本発明の医療データ管理システムの一例としては、端末装置が、二次元コードを表示する二次元コード表示手段と、二次元コードを印字する二次元コード印字手段とを含み、医療データ管理システムでは、二次元コード印字手段によって印字された二次元コードが利用者の生活拠点の指定の箇所に貼付され、光学読取装置が生活拠点の指定の箇所に貼付された状態の二次元コードを読み取る。
【０００８】
本発明の医療データ管理システムの他の一例としては、サーバが、二次元コードを暗号化する二次元コード暗号化手段を含み、光学読取装置が、暗号化された二次元コードを復号化する復号化手段を含む。
【０００９】
本発明の医療データ管理システムの他の一例として、二次元コード変換手段では、特定の端末装置から医療データが送信される度毎にその医療データを二次元コードに変換し、二次元コード送信手段では、医療データが送信される度毎に変換された最新の二次元コードを端末装置に送信しつつ、医療データ更新情報を端末装置に送信する。
【００１０】
本発明の医療データ管理システムの他の一例として、二次元コード記憶手段では、送信日時から最新の送信日時か過去の送信日時かを判断し、過去の送信日時に対応する二次元コードを最新の送信日時に対応する二次元コードに更新しつつ、過去の送信日時の二次元コードを消去する。
【００１１】
本発明の医療データ管理システムの他の一例としては、端末装置が、入力された過去から現在までの医療データを記憶する医療データ記憶手段と、最新の医療データをサーバに送信する前にその医療データと直近過去の医療データとを比較しつつ、最新の医療データと直近過去の医療データとの相違点を表示する相違点表示手段を含む。
【００１２】
本発明の医療データ管理システムの他の一例としては、端末装置が、最新の二次元コードに対応する利用者の医療データを表示する医療データ表示手段を含む。
【００１３】
本発明の医療データ管理システムの他の一例としては、光学読取装置が、二次元コードから変換した医療データをネットワークを介して医療機関に送信する変換医療データ送信手段を含む。
【００１４】
本発明の医療データ管理システムの他の一例としては、医療データが、利用者の個人情報、利用者の既往症情報、利用者の現病歴情報、利用者の薬歴情報、利用者の常備薬情報、利用者のアレルギー情報、利用者の主治医医療機関情報、利用者の主治医情報、利用者の医療関係特記事項情報、利用者の感染症情報、利用者の検査結果情報、利用者の障害情報のうちの少なくとも前記個人情報、前記既往症情報、前記現病歴情報、前記薬歴情報である。
【００１５】
本発明の医療データ管理システムの他の一例としては、二次元コードが、ＱＲコードである。
【発明の効果】
【００１６】
本発明にかかる医療データ管理システムによれば、端末装置がそれに入力された各種の医療データをサーバに送信し、サーバがその医療データを二次元コードに変換するとともに、二次元コードをそれに対応する医療データを送信した端末装置に送信し、端末装置がサーバから送信された二次元コードを受信しつつ、その二次元コードを記憶するから、利用者に自己の各種の医療データを二次元コードとして一元的に保持させることができ、医療データの亡失や医療データの紛失を防ぐことができる。医療データ管理システムは、利用者の緊急時や要保護時、要介護時に二次元コードからその利用者の医療データを取得することができるから、利用者の緊急時や要保護時、要介護時にその利用者の医療データを救急隊員や介助者、介護者が即座に確認することができ、利用者の医療データを利用して、救急隊員や介助者、介護者が利用者に施すべき医療措置や保護行為、介護行為を的確に判断することができる。
【００１７】
医療データ管理システムは、利用者が一人暮らしの老人であり、緊急時や要保護時、要介護時に利用者が医療データを提示することができない場合でも、二次元コードを利用してその利用者の各種の医療データを救急隊員や介助者、介護者が速やかに知ることができる。医療データ管理システムは、二次元コードを読み取る光学読取装置を含み、光学読取装置が二次元コードを各種の医療データに変換し、変換した医療データを出力するから、救急隊員や介助者、介護者が光学読取装置を利用して二次元コードを読み取り、二次元コードから変換した医療データを光学読取装置に表示させることで、救急隊員や介助者、介護者が利用者の医療データを即座に確認することができ、救急隊員や介助者、介護者が利用者に施すべき医療措置や保護行為、介護行為を的確に判断することができる。
【００１８】
医療データ管理システムは、医療データ送信手段において、医療データをサーバに送信した送信日時をサーバに送信し、二次元コード変換手段において、医療データとともに送信日時を二次元コードに変換し、サーバが二次元コードを送信日時に関連づけた状態で記憶し、二次元コードが医療データの送信日時を含むことで、医療データの二次元コードへの変換日時を知ることができるから、救急隊員や介助者、介護者が二次元コードから変換された医療データの新旧を把握することができ、その医療データの採用または不採用を的確に判断することができる。医療データ管理システムは、救急隊員や介助者、介護者が二次元コードから変換された医療データの信頼性や信憑性を送信日時から判断することができ、不適当な医療データが採用される医療措置や保護行為、介護行為の判断ミスを防ぐことができる。
【００１９】
医療データ管理システムは、光学読取装置が二次元コードと送信日時とをサーバに送信し、サーバが二次元コードに変換された医療データの送信日時が最新の送信日時か過去の送信日時かを判断するとともに、最新の送信日時または過去の送信日時を光学読取装置に送信するから、光学読取装置が読み取った二次元コード（医療データ）の送信日時が最新の送信日時か過去の送信日時かを光学読取装置において判断することができ、救急隊員や介助者、介護者が最新の医療データに基づいて医療措置や保護行為、介護行為を的確に行うことができるとともに、過去の医療データに基づいて医療措置や保護行為、介護行為が行われる判断ミスを確実に防ぐことができる。
【００２０】
端末装置が二次元コードを表示するとともに、二次元コードを印字する医療データ管理システムは、二次元コードを端末装置のディスプレイに表示し、画面キャプチャーによってその二次元コードを読み取ることで、二次元コードから利用者の医療データを取得することができ、二次元コードを利用して救急隊員や介助者、介護者が利用者の医療データを即座に確認することができる。また、印字された二次元コードを読み取ることで、二次元コードから利用者の医療データを取得することができ、二次元コードを利用して救急隊員や介助者、介護者が利用者の医療データを即座に確認することができる。
【００２１】
医療データ管理システムは、利用者の生活拠点の指定の箇所に二次元コードを貼付することで、利用者の緊急時や要介護時、要介護時にその利用者の生活拠点に到着した救急隊員や介助者、介護者が指定の箇所に貼付された二次元コードを光学読取装置によって読み取ることで、その利用者の医療データを即座に確認することができ、救急隊員や介助者、介護者が利用者に施すべき医療措置や保護行為、介護行為を的確に判断することができる。医療データ管理システムは、二次元コードを指定の箇所に貼付させることで、救急隊員や介助者、介護者が二次元コードの場所を探す手間と時間とを省くことができ、光学読取装置によって二次元コードを即座に読み取ることができるとともに、利用者の緊急時や要保護時、要介護時に迅速に対処することができる。
【００２２】
サーバが二次元コードを暗号化し、光学読取装置が暗号化された二次元コードを復号化する医療データ管理システムは、二次元コードを暗号化することで、権限のない第三者にその二次元コードが読み取られることがなく、正当な権限を有する救急隊員や介助者、介護者のみがその二次元コードに対応する医療データを確認することができる。医療データ管理システムは、二次元コードのセキュリティーを向上させることができ、利用者の医療データの盗取や改竄、悪用を防ぐことができるとともに、利用者のプライバシーを保護することができる。
【００２３】
二次元コード変換手段において、特定の端末装置から医療データが送信される度毎にその医療データを二次元コードに変換し、二次元コード送信手段において、医療データが送信される度毎に変換された最新の二次元コードを端末装置に送信しつつ、医療データ更新情報を端末装置に送信する医療データ管理システムは、サーバが特定の端末装置から医療データが送信される度毎にその医療データを二次元コードに変換することで、二次元コードを利用者の最新の医療データに対応させることができ、利用者の最新の医療データを救急隊員や介助者、介護者に提供することができる。医療データ管理システムは、最新の二次元コードを端末装置に送信しつつ、医療データ更新情報を端末装置に送信するから、医療データが最新のそれに更新されたことを利用者や利用者の医療データを入力するデータ入力者が知ることができ、救急隊員や介助者、介護者に利用者の過去の医療データが提供されることはなく、過去の医療データが提供されることによる医療措置や保護行為、介護行為の判断ミスを防ぐことができる。
【００２４】
端末装置が二次元コード記憶手段において、送信日時から最新の送信日時か過去の送信日時かを判断し、過去の送信日時に対応する二次元コードを最新の送信日時に対応する二次元コードに更新しつつ、過去の送信日時の二次元コードを消去する医療データ管理システムは、端末装置に過去の医療データを変換した二次元コードが残存することはなく、利用者の最新の医療データを救急隊員や介助者、介護者に提供することができる。医療データ管理システムは、救急隊員や介助者、介護者に利用者の過去の医療データが提供されることはなく、過去の医療データが提供されることによる医療措置や保護行為、介護行為の判断ミスを防ぐことができる。
【００２５】
端末装置がサーバに送信した過去から現在までの医療データを記憶し、最新の医療データをサーバに送信する前にその医療データと直近過去の医療データとを比較しつつ、最新の医療データと直近過去の医療データとの相違点を表示する医療データ管理システムは、端末装置において最新の医療データと直近過去の医療データとの相違点が表示されるから、利用者や利用者の医療データを入力するデータ入力者が医療データの相違点を知ることができ、相違点がなくまたは相違点が少ない場合、二次元コードの更新不要を判断することができるとともに、大きな相違点がある場合、二次元コードの更新要を判断することができる。医療データ管理システムは、利用者やデータ入力者が相違点を把握して二次元コードを更新するから、利用者の最新かつ適切な二次元コードを救急隊員や介助者、介護者に提供することができる。
【００２６】
端末装置が最新の二次元コードに対応する利用者の医療データを表示する医療データ管理システムは、端末装置が最新の二次元コードに対応する医療データを表示することで、利用者や利用者の医療データを入力するデータ入力者がその二次元コードに変換された医療データを知ることができ、利用者やデータ入力者が二次元コードに対応する医療データが正しいデータであるかまたは間違ったデータを含んでいるかを判断することができる。医療データ管理システムは、二次元コードに対応する医療データに間違った医療データが含まれている場合、利用者やデータ入力者がそれを判断することができるから、正しい医療データをサーバに送信し、その医療データを二次元コードに変換させることで、間違った医療データが含まれる二次元コードを正しい医療データのそれに変更することができ、救急隊員や介助者、介護者に誤った医療データが提供されることはなく、誤った医療データが提供されることによる医療措置や保護行為、介護行為の判断ミスを防ぐことができる。
【００２７】
光学読取装置が二次元コードから変換した医療データをネットワークを介して医療機関に送信する医療データ管理システムは、利用者の緊急時に二次元コードから変換した医療データを医療機関に送信することで、その利用者が医療機関に搬送されるまでに、その利用者の医療データを医療機関が事前に確認することができ、医療機関において利用者に施すべき医療措置を的確に判断することができる。
【００２８】
医療データが利用者の個人情報、利用者の既往症情報、利用者の現病歴情報、利用者の薬歴情報、利用者の常備薬情報、利用者のアレルギー情報、利用者の主治医医療機関情報、利用者の主治医情報、利用者の医療関係特記事項情報、利用者の感染症情報、利用者の検査結果情報、利用者の障害情報のうちの少なくとも個人情報、既往症情報、現病歴情報、薬歴情報である医療データ管理システムは、利用者にそれら医療データのうちの少なくとも個人情報、既往症情報、現病歴情報、薬歴情報を二次元コードとして一元的に保持させることができ、それら医療データの亡失や医療データの紛失を防ぐことができる。医療データ管理システムは、利用者の緊急時や要保護時、要介護時に二次元コードからその利用者の少なくとも個人情報、既往症情報、現病歴情報、薬歴情報を取得することができるから、利用者の緊急時や要保護時、要介護時にその利用者の個人情報、既往症情報、現病歴情報、薬歴情報を救急隊員や介助者、介護者が即座に確認することができ、利用者に施すべき医療措置や保護行為、介護行為を的確に判断することができる。医療データ管理システムは、利用者が一人暮らしの老人であり、緊急時や要保護時、要介護時に利用者が少なくとも個人情報、既往症情報、現病歴情報、薬歴情報を提示することができない場合でも、二次元コードを利用してその利用者の少なくとも個人情報、既往症情報、現病歴情報、薬歴情報を救急隊員や介助者、介護者が速やかに知ることができる。
【００２９】
二次元コードがＱＲコードである医療データ管理システムは、利用者に自己の各種の医療データをＱＲコードとして一元的に保持させることができ、医療データの亡失や医療データの紛失を防ぐことができる。医療データ管理システムは、利用者の緊急時や要保護時、要介護時にＱＲコードからその利用者の医療データを取得することができるから、利用者の緊急時や要保護時、要介護時にその利用者の医療データを救急隊員や介助者、介護者が即座に確認することができ、利用者に施すべき医療措置や保護行為、介護行為を的確に判断することができる。医療データ管理システムは、利用者が一人暮らしの老人であり、緊急時や要保護時、要介護時に利用者が医療データを提示することができない場合でも、ＱＲコードを利用してその利用者の各種の医療データを救急隊員や介助者、介護者が速やかに知ることができる。
【図面の簡単な説明】
【００３０】
【図１】一例として示す医療データ管理システムの概念構成図。
【図２】メニュー画面の一例を示す図。
【図３】医療データ入力画面の一例を示す図。
【図４】個人情報入力画面の一例を示す図。
【図５】医療データ送信準備画面の一例を示す図。
【図６】医療データ送信画面の一例を示す図。
【図７】データ比較画面の一例を示す図。
【図８】ＱＲコード受信画面の一例を示す図。
【図９】ＱＲコード確認画面の一例を示す図。
【図１０】ＱＲコードに対応する医療データ表示画面の一例を示す図。
【図１１】ＱＲコード表示画面の一例を示す図。
【図１２】印字されたＱＲコードシール１７の一例を示す図
【図１３】サーバ１１と救急車（緊急車両）と病院（医療機関）との間の情報の送受信を説明する図。
【図１４】医療データ閲覧画面の一例を示す図。
【図１５】送信日付確認画面の一例を示す図。
【図１６】病院検索・データ送信画面の一例を示す図。
【発明を実施するための形態】
【００３１】
一例として示す医療データ管理システム１０の概念構成図である図１等の添付の図面を参照し、本発明にかかる医療データ管理システムの詳細を説明すると、以下のとおりである。医療データ管理システム１０は、それを提供する管理事業者が管理するサーバ１１と、特定多数の利用者の各種の医療データを入力する第１〜第ｎ端末装置１２と、ＱＲコード（二次元コード）を読み取る二次元コードリーダ１３（光学読取装置）とから形成されている。なお、図１に示す医療データ管理システム１０では、それを利用する特定多数の利用者の管理事業者に対するユーザー登録が完了し、管理事業者から各利用者にユーザーＩＤおよびパスワードが発行されている。
【００３２】
図１では、端末装置１２として、パーソナルコンピュータ１２Ａ、スマートフォン１２Ｂ（多機能携帯端末）、タブレットＰＣ１２Ｃ（多機能携帯端末）、携帯電話１２Ｄを例示している。図１では、サーバ１１、パーソナルコンピュータ１２Ａ、スマートフォン１２Ｂ、タブレットＰＣ１２Ｃ、携帯電話１２Ｄ、二次元コードリーダ（バーコードリーダ）を１台ずつ図示しているが、実際にはインターネット１４を介して接続される各種複数のサーバが存在するとともに、インターネット１４を介して各サーバへアクセス可能な複数台のパーソナルコンピュータや複数台のスマートフォン、複数台のタブレットＰＣ、複数台の携帯電話、複数台の二次元コードリーダがシステム１０を形成している。
【００３３】
パーソナルコンピュータ１２Ａやスマートフォン１２Ｂ、タブレットＰＣ１２Ｃ、携帯電話１２Ｄ、二次元コードリーダ１３は、それぞれ機種が異なるとともにそれを提供するキャリア（メーカー）が異なる。パーソナルコンピュータ１２Ａは、各利用者が保持する場合の他、役所や公的医療機関等の公共機関に設置される場合がある。スマートフォン１２ＢやタブレットＰＣ１２Ｃ、携帯電話１２Ｄは、各利用者が保持する。なお、端末装置１２にはウエアラブルＰＣや携帯情報端末（ＰＤＡ）も含まれ、さらに、今後開発されるインターネット１４（ネットワーク）に接続可能なすべての端末装置が含まれる。システム１０では、インターネット１４の他に、ＬＡＮやＷＡＮ等の他のネットワークを利用することもできる。
【００３４】
サーバ１１は、管理事業者（管理会社）が契約するデータセンターに設置されている。なお、サーバ１１が管理事業者の事業所に設置される場合もある。サーバ１１は、中央処理装置（ＣＰＵや仮想ＣＰＵ）と記憶装置（メモリや仮想メモリ）と大容量記憶領域（ハードディスクや仮想ハードディスク等）とを備え、物理的なＯＳ（オペレーティングシステム）や仮想ＯＳ（仮想オペレーティングシステム）によって動作する論理的なコンピュータである。サーバ１１には、図示はしていないが、キーボードやマウス等の入力装置、ディスプレイやプリンタ等の出力装置がインターフェイス（無線または有線）を介して接続されている。サーバ１１には、データセンターに存在するルーター（物理セキュリティールーターや仮想セキュリティールーター）およびファイアーフォール（物理ファイアーフォールや仮想ファイアーフォール）が接続されている。
【００３５】
サーバ１１には、ホスト名とそのホスト名に割り当てるＩＰアドレスとの対応付けを設定するＤＮＳサーバ、他のコンピュータや他のサーバからの要求を受け付けて各種情報を読み書きする機能を提供するデータベース・ファイルサーバ、ホームページを公開するために必要なＷｅｂサーバ、電子メールの送受信用のメールサーバ、作成された文章や画像等のデータをすべて保存してそれらのデータを検索可能にするドキュメントサーバ等の各種サーバが接続され、それらサーバがサーバ群を形成している。
【００３６】
サーバ１１は、インターネット１４を介して世界のいずれかに施設されたデータセンターの他のサーバやクラウドとネットワークを形成している。サーバ１１は、インターネット１４に接続可能であり、インターネット１４を利用することで、アクセス制限がない不特定多数の他のサーバ（コンピュータ）やクラウドにアクセスかつログインすることができる。なお、サーバ１１は、それ自体がＤＮＳサーバ機能、データベースサーバ機能、Ｗｅｂサーバ機能、メールサーバ機能、ドキュメントサーバ機能を有し、各サーバ機能別にソフトウェア的に区分されている場合がある。
【００３７】
サーバ１１は、オペレーティングシステム（ＯＳ）による制御に基づいて、メモリの内部アドレスファイルに格納された医療データ変換アプリケーションを起動し、そのアプリケーションに従って、以下の各手段を実施する。サーバ１１は、パーソナルコンピュータ１２Ａやスマートフォン１２Ｂ、タブレットＰＣ１２Ｃ、携帯電話１２Ｄから送信された医療データおよびその医療データの送信日時をＱＲコード（暗号化された二次元コード）に変換するＱＲコード変換手段（二次元コード変換手段）を実施し、そのＱＲコードを暗号化（暗号化方式：ＡＥＳ方式（Rijndael-128））するＱＲコード暗号化手段（二次元コード暗号化手段）を実施する。サーバ１１は、ＱＲコード（暗号化前のＱＲコードと暗号化後のＱＲコードとのうちの少なくとも暗号化前のＱＲコード）をパーソナルコンピュータ１２Ａやスマートフォン１２Ｂ、タブレットＰＣ１２Ｃ、携帯電話１２Ｄの端末識別情報および送信日時に関連づけた状態で記憶領域に記憶するＱＲコード・日時記憶手段（二次元コード・日時記憶手段）を実施する。
【００３８】
サーバ１１は、ＱＲコード変換手段によって生成したＱＲコードをパーソナルコンピュータ１２Ａやスマートフォン１２Ｂ、タブレットＰＣ１２Ｃ、携帯電話１２Ｄに送信するＱＲコード送信手段（二次元コード送信手段）を実施する。サーバ１１は、二次元コードリーダ１３から送信されたＱＲコードに変換された医療データの送信日時が最新の送信日時かまたは過去の送信日時かを判断する送信日時判断手段を実施し、日時判断手段によって判断した最新の送信日時または過去の送信日時を二次元コードリーダ１３（後記するコンピュータ１６）に送信する送信日時送信手段を実施する。
【００３９】
医療データには、利用者の個人情報、利用者の既往症情報、利用者の現病歴情報、利用者の薬歴情報、利用者の常備薬情報、利用者のアレルギー情報、利用者の主治医医療機関情報、利用者の主治医情報、利用者の医療関係特記事項情報、利用者の感染症情報、利用者の検査結果情報、利用者の障害情報がある。医療データとしては、それらのうちの少なくとも個人情報、既往症情報、現病歴情報、薬歴情報が必要である。
【００４０】
個人情報には、利用者の氏名（漢字およびひらがな）、住所、電話番号、生年月日、性別、血液型、身長、体重、ＲＨ抗体、メールアドレス等がある。医療関係特記事項情報には、インシュリン使用の有無、吸入器使用の有無、ニトログリセリン使用の有無、ペースメーカー使用の有無、在宅酸素使用の有無、人工呼吸器使用の有無、エビネフィリン使用の有無、人工透析の有無、胃痩の有無、胃管カテーテル使用の有無、腎痩の有無、尿管カテーテル使用の有無、人工膀胱使用の有無、シャント使用の有無、ポート使用の有無等がある。なお、サーバ１１では、利用者の医療データ自体は保持しない。
【００４１】
このシステム１０では、二次元コードとしてＱＲコードを使用しているが、ＱＲコードの他に、マトリックス式のＳＰコード、ベリコード（VeriCode）、マキシコード（MaxiCode）、ＣＰコード、DataMatrix、Code１、AztecCode、インタクタコード、カードｅを使用することができる。また、スタック式のＰＤＦ４１７、Code４９、Code１６Ｋ、Codeblock、Super Code、Ultra Code、RSS Composite、AztecMesaを使用することもできる。なお、システム１０で使用する二次元コードには、今後開発されるすべてのそれが含まれる。
【００４２】
パーソナルコンピュータ１２Ａは、中央処理装置と記憶装置と大容量記憶領域とを備え、物理的なＯＳや仮想ＯＳによって動作する論理的なコンピュータである。コンピュータ１２Ａには、図示はしていないが、キーボードやマウス等の入力装置、ディスプレイやプリンタ等の出力装置がインターフェイス（無線または有線）を介して接続されている。スマートフォン１２ＢやタブレットＰＣ１２Ｃ、携帯電話１２Ｄは、中央処理部（ＣＰＵまたはＭＰＵ）とメモリ（メインメモリおよびキャッシュメモリ）とを有して独立したオペレーティングシステム（ＯＳ）によって動作する物理的なコンピュータを内蔵している。
【００４３】
コンピュータ１２Ａやスマートフォン１２Ｂ、タブレットＰＣ１２Ｃ、携帯電話１２Ｄのメモリには、医療データ管理システム１０の各手段を実行する医療データ変換アプリケーションが格納されている。医療データ変換アプリケーションは、サーバ１１に直接アクセスし、または、リンクを介して他のサーバからサーバ１１にアクセスした後、サーバ１１からダウンロードする。スマートフォン１２ＢやタブレットＰＣ１２Ｃ、携帯電話１２Ｄのメモリには、ウェブブラウザおよび電子メールの送受信や電子メールの管理を行う電子メールクライアントが格納されている。コンピュータ１２Ａやスマートフォン１２Ｂ、タブレットＰＣ１２Ｃ、携帯電話１２Ｄは、インターネット１４に接続可能であり、インターネット１４を利用することで、サーバ１１やアクセス制限がない不特定多数の他のサーバ（コンピュータ）、クラウドにアクセスかつログインすることができる。
【００４４】
コンピュータ１２Ａの記憶領域、スマートフォン１２ＢやタブレットＰＣ１２Ｃ、携帯電話１２Ｄのメモリには、それらを特定する端末識別情報とサーバ１１のＵＲＬとが格納されている。端末識別情報としては、コンピュータ１２Ａやスマートフォン１２Ｂ、タブレットＰＣ１２Ｃ、携帯電話１２ＤのＩＰアドレスやＭＡＣアドレス、ＵＲＬ、メールアドレス、Ｃｏｏｋｉｅ情報、固体識別番号等を利用することができる他、コンピュータ１２Ａやスマートフォン１２Ｂ、タブレットＰＣ１２Ｃ、携帯電話１２Ｄがそれらを識別するユニークな識別子を独自に生成し、生成した識別子を端末識別情報にすることができる。コンピュータ１２Ａの記憶領域、スマートフォン１２ＢやタブレットＰＣ１２Ｃ、携帯電話１２Ｄのメモリには、それらを使用する権限を有する利用者の個人情報が格納される。
【００４５】
コンピュータ１２Ａやスマートフォン１２Ｂ、タブレットＰＣ１２Ｃ、携帯電話１２Ｄは、オペレーティングシステム（ＯＳ）による制御に基づいて、メモリの内部アドレスファイルに格納された医療データ変換アプリケーションを起動し、そのアプリケーションに従って、以下の各手段を実施する。コンピュータ１２Ａやスマートフォン１２Ｂ、タブレットＰＣ１２Ｃ、携帯電話１２Ｄは、入力された過去から現在までの医療データおよび入力日時を記憶する医療データ記憶手段を実施する。
【００４６】
コンピュータ１２Ａやスマートフォン１２Ｂ、タブレットＰＣ１２Ｃ、携帯電話１２Ｄは、それらに入力された最新の医療データをサーバ１１に送信する前にその医療データと直近過去の医療データとを比較しつつ、最新の医療データと直近過去の医療データとの相違点を表示する相違点表示手段を実施する。コンピュータ１２Ａやスマートフォン１２Ｂ、タブレットＰＣ１２Ｃ、携帯電話１２Ｄは、それらに入力された医療データおよび医療データの送信日時をサーバ１１に送信する医療データ送信手段を実施する。
【００４７】
コンピュータ１２Ａやスマートフォン１２Ｂ、タブレットＰＣ１２Ｃ、携帯電話１２Ｄは、サーバ１１から送信されたＱＲコードを受信するＱＲコード受信手段（二次元コード受信手段）を実施し、ＱＲコード受信手段によって受信したＱＲコードを受信日時および利用者番号に関連づけた状態で記憶領域やメモリに記憶するＱＲコード記憶手段（二次元コード記憶手段）を実施する。
【００４８】
コンピュータ１２Ａやスマートフォン１２Ｂ、タブレットＰＣ１２Ｃ、携帯電話１２Ｄは、サーバ１１から送信された最新のＱＲコードに対応する利用者の医療データを表示する医療データ表示手段を実施する。コンピュータ１２Ａやスマートフォン１２Ｂ、タブレットＰＣ１２Ｃ、携帯電話１２Ｄは、ＱＲコードをディスプレイ１５やタッチパネル１５に表示するＱＲコード表示手段（二次元コード表示手段）を実施し、二次元コードをプリンタを介して印字するＱＲコード印字手段（二次元コード印字手段）を実施する。
【００４９】
二次元コードリーダ１３（光学読取装置）は、特定多数の救急隊員や介助者、介護者が所持する。二次元コードリーダ１３は、ＣＣＤを利用したハンディタイプのそれが使用されているが、レーザーを利用するレーザータイプを使用することもできる。二次元コードリーダ１３は、インターフェイス（無線または有線）を介してコンピュータ１６（タブレットＰＣを含む）に接続されている。
【００５０】
二次元コードリーダ１３が接続されたコンピュータ１６は、パーソナルコンピュータ１２Ａと同様に、中央処理装置と記憶装置と大容量記憶領域とを備え、物理的なＯＳや仮想ＯＳによって動作する。コンピュータ１６には、キーボードやマウス等の入力装置、ディスプレイやプリンタ等の出力装置がインターフェイス（無線または有線）を介して接続されている。なお、二次元コードリーダ１３とコンピュータ１６とが二次元コードリーダシステム（光学読取システム）を形成している。
【００５１】
コンピュータ１６のメモリには、医療データ管理システム１０の各手段を実行する医療データ変換アプリケーションが格納され、コンピュータ１６の記憶領域には、サーバ１１のＵＲＬが格納されている。医療データ変換アプリケーションは、サーバ１１に直接アクセスし、または、リンクを介して他のサーバからサーバ１１にアクセスした後、サーバ１１からダウンロードする。コンピュータ１６（二次元コードリーダ１３）は、インターネット１４に接続可能であり、インターネット１４を利用することで、サーバ１１やアクセス制限がない不特定多数の他のサーバ（コンピュータ）、クラウドにアクセスかつログインすることができる。
【００５２】
コンピュータ１６は、オペレーティングシステム（ＯＳ）による制御に基づいて、メモリの内部アドレスファイルに格納された医療データ変換アプリケーションを起動し、そのアプリケーションに従って、以下の各手段を実施する。コンピュータ１６（二次元コードリーダ１３）は、読み取ったＱＲコードを復号化するＱＲコード復号化手段（二次元コード復号化手段）を実施し、そのＱＲコードを各種の医療データおよび送信日時に変換する医療データ変換手段を実施する。コンピュータ１６（二次元コードリーダ１３）は、医療データ変換手段によって変換した医療データおよび送信日時をディスプレイに出力する医療データ出力手段を実施する。
【００５３】
コンピュータ１６（二次元コードリーダ１３）は、読み取ったＱＲコードをサーバ１１に送信するＱＲコード・日時送信手段（二次元コード・日時送信手段）を実施し、サーバ１１から送信された最新の送信日時または過去の送信日時を受信する送信日時受信手段を実施する。コンピュータ１６（二次元コードリーダ１３）は、サーバ１１から受信した最新の送信日時または過去の送信日時を表示する送信日時表示手段を実施し、ＱＲコードから変換した利用者の医療データと送信日時とのうちの少なくとも医療データをインターネット１４を介して医療機関に送信する変換医療データ送信手段を実施する。
【００５４】
図２は、コンピュータ１２Ａのディスプレイ１５に表示されたメニュー画面の一例を示す図であり、図３は、コンピュータ１２Ａのディスプレイ１５に表示された医療データ入力画面の一例を示す図である。図４は、コンピュータ１２Ａのディスプレイ１５に表示された個人情報入力画面の一例を示す図である。それら図では、コンピュータ１２Ａのディスプレイ１５の他の操作ボタンやアイコン等の図示を省略するとともに、各入力エリアや各表示エリアに表示される情報（項目）の図示を省略している。
【００５５】
以下、パーソナルコンピュータ１２Ａのディスプレイ１５のみを図示して医療データ管理システム１０を説明する。なお、スマートフォン１２Ｂのタッチパネル１５やタブレットＰＣ１２Ｃのタッチパネル１５、携帯電話１２Ｄのタッチパネル１５にも図２〜図４と同様の各画面や以下の図５〜図１１に示す各画面が表示される。
【００５６】
コンピュータ１２Ａを起動すると、それに接続されたディスプレイ１５に医療データ管理システム１０を表すアイコン（図示せず）が表示される。医療データ管理システム１０のアイコンをクリック（スマートフォン１２ＢやタブレットＰＣ１２Ｃ、携帯電話１２Ｄのタッチパネル１５ではアイコンをタップ）すると、ディスプレイ１５には、ログイン画面（図示せず）が表示される。ログイン画面には、ＩＤ入力エリアやパスワード入力エリア、ログインボタンが表示される。ＩＤ入力エリアにＩＤを入力し、パスワード入力エリアにパスワードを入力した後、ログインボタンをクリックする。
【００５７】
ログインボタンをクリックし、ＩＤ入力エリアに入力されたＩＤやパスワード入力エリアに入力されたパスワードが正しい場合、医療データ変換アプリケーションが起動する。ディスプレイ１５には、図２に示すメニュー画面が表示される。図２のメニュー画面には、医療データ入力ボタン２ａ、医療データ送信ボタン２ｂ、医療データ表示ボタン２ｃ、ＱＲコード表示ボタン２ｄ、ＱＲコード印字ボタン２ｅ、閉じるボタン２ｆが表示される。閉じるボタン２ｆをクリックすると、起動した医療データ変換アプリケーションが終了する（以下の閉じるボタンも同様）。
【００５８】
医療データを入力するには、メニュー画面の医療データ入力ボタン２ａをクリックする。医療データ入力ボタン２ａをクリックすると、ディスプレイ１５には、図３に示す医療データ入力画面が表示される。図３の医療データ入力画面には、既往症情報入力エリア３ａ、現病歴情報入力エリア３ｂ、薬歴情報入力エリア３ｃ、常備薬情報入力エリア３ｄ、アレルギー情報入力エリア３ｅ、主治医医療機関情報入力エリア３ｆ、主治医情報入力エリア３ｇ、感染症情報入力エリア３ｈ、検査結果情報入力エリア３ｉ、障害情報入力エリア３ｊ、特記事項情報入力エリア３ｋ、入力ボタン３ｌ、メニュー画面ボタン３ｍ、閉じるボタン３ｎ、クリアボタン３ｏが表示される。
【００５９】
なお、既往症情報、現病歴情報、薬歴情報、常備薬情報は、必須の入力情報であり、アレルギー情報、主治医医療機関情報、主治医情報、感染症情報、検査結果情報、障害情報、特記事項情報は、任意の入力情報である。メニュー画面ボタン３ｍをクリックすると、図２のメニュー画面が表示される（以下のメニュー画面ボタンも同様）。クリアボタン３ｏをクリックすると、各入力エリアに入力された情報がクリアされ、各入力エリアに再度情報を入力する（以下のクリアボタンも同様）。
【００６０】
利用者または利用者に替わって医療データを入力するデータ入力者（利用者の要請を受けてその利用者の医療データの入力を代行する役所の所員や公的医療機関の従業員等の公的機関の職員）は、既往症情報入力エリア３ａに利用者の既往症情報を入力（複数入力可）し、または、既往症情報入力エリア３ａのプルダウンリストから既往症情報を選択（複数選択可）する。現病歴情報入力エリア３ｂに利用者の現病歴情報を入力（複数入力可）し、または、現病歴情報入力エリア３ｂのプルダウンリストから、現病歴情報を選択（複数選択可）する。
【００６１】
薬歴情報入力エリア３ｃに利用者の薬歴情報を入力（複数入力可）し、または、薬歴情報入力エリア３ｃのプルダウンリストから薬歴情報を選択（複数選択可）する。常備薬情報入力エリア３ｄに利用者の常備薬情報を入力（複数入力可）し、または、常備薬情報入力エリア３ｄのプルダウンリストから常備薬情報を選択（複数選択可）する。アレルギー情報入力エリア３ｅに利用者のアレルギー情報を入力（複数入力可）し、または、アレルギー情報入力エリア３ｅのプルダウンリストからアレルギー情報を選択（複数選択可）する。主治医医療機関情報入力エリア３ｆに利用者の主治医医療機関情報を入力（複数入力可）し、または、主治医医療機関情報入力エリア３ｆのプルダウンリストから主治医医療機関情報を選択（複数選択可）する。主治医情報入力エリア３ｇに利用者の主治医情報を入力（複数入力可）し、または、主治医情報入力エリア３ｇのプルダウンリストから主治医情報を選択（複数選択可）する。
【００６２】
感染症情報入力エリア３ｈに利用者の感染症情報を入力（複数入力可）し、または、感染症情報入力エリア３ｈのプルダウンリストから感染症情報を選択（複数選択可）する。検査結果情報入力エリア３ｉに利用者の検査結果情報を入力（複数入力可）し、または、検査結果情報入力エリア３ｉのプルダウンリストから検査結果情報を選択（複数選択可）する。障害者情報入力エリア３ｊに利用者の障害者情報を入力（複数入力可）し、または、障害者情報入力エリア３ｊのプルダウンリストから障害者情報を選択（複数選択可）する。特記事項情報入力エリア３ｋに利用者の特記事項情報を入力（複数入力可）し、または、特記事項情報入力エリア３ｋのプルダウンリストから特記事項情報を選択（複数選択可）する。
【００６３】
各入力エリア３ａ〜３ｋに情報を入力した後、入力ボタン３ｌをクリックする。入力ボタン３ｌをクリックすると、ディスプレイ１５には、図４に示す個人情報入力画面が表示される。図４の個人情報入力画面には、利用者の氏名入力エリア４ａ、利用者の住所入力エリア４ｂ、利用者の生年月日入力エリア４ｃ、利用者の電話番号入力エリア４ｄ、利用者の性別入力エリア４ｅ、利用者の血液型入力エリア４ｆ、利用者の身長入力エリア４ｇ、利用者の体重入力エリア４ｈ、利用者のＧＨ抗体入力エリア４ｉ、利用者のメールアドレス入力エリア４ｊ、入力ボタン４ｋ、戻るボタン４ｌ、メニュー画面ボタン４ｍ、閉じるボタン４ｎ、クリアボタン４ｏが表示される。戻るボタン４ｌをクリックすると、１つ前の画面が表示される（以下の戻るボタンも同様）。
【００６４】
各入力エリア４ａ〜４ｊに各項目を入力した後、入力ボタン４ｋをクリックする。入力ボタン４ｋをクリックすると、図示はしていないが、データ確認画面がディスプレイ１５に表示される。データ確認画面には、各入力エリアに入力された各医療データを表示したデータ確認エリアとともに、格納ボタン、再入力ボタン、メニュー画面ボタン、閉じるボタンが表示される。再入力ボタンをクリックすると、図３の医療データ入力画面が表示され、医療データを再度入力する。
【００６５】
利用者またはデータ入力者がデータ確認エリアに表示された各医療データを確認した後、格納ボタンをクリックすると、コンピュータ１２Ａは、入力された医療データおよび入力日時を端末識別情報に関連づけた状態で記憶領域に記憶する（医療データ記憶手段）。なお、医療データの入力において、過去に個人情報がすでに入力されている場合、個人情報の入力が省略され、図４の個人情報入力画面は表示されない。また、コンピュータ１２Ａの記憶領域には、過去から現在までの医療データおよび入力日時が端末識別情報に関連づけられた状態で記憶されているものとする。
【００６６】
図５は、コンピュータ１２Ａのディスプレイ１５に表示された医療データ送信準備画面の一例を示す図であり、図６は、コンピュータ１２Ａのディスプレイ１５に表示された医療データ送信画面の一例を示す図である。図７は、コンピュータ１２Ａのディスプレイ１５に表示されたデータ比較画面の一例を示す図であり、図８は、コンピュータ１２Ａのディスプレイ１５に表示されたＱＲコード受信画面の一例を示す図である。図５〜図８では、ディスプレイ１５の他の操作ボタンやアイコン等の図示を省略するとともに、各入力エリアや各表示エリアに表示される情報（項目）の図示を省略している。
【００６７】
入力した医療データをサーバ１１に送信するには、図２のメニュー画面の医療データ送信ボタン２ｂをクリックする。医療データ送信ボタン２ｂをクリックすると、ディスプレイ１５には、図５に示す医療データ送信準備画面が表示される。図５の医療データ送信準備画面には、利用者番号入力エリア５ａ、氏名入力エリア５ｂ、住所入力エリア５ｃ、電話番号入力エリア５ｄ、確認ボタン５ｅ、メニュー画面ボタン５ｆ、閉じるボタン５ｇが表示される。
【００６８】
はじめて医療データをサーバ１１に送信する場合、利用者番号がサーバ１１から提供（送信）されていないから、利用者またはデータ入力者は、利用者番号入力エリア５ａを空白にし、氏名入力エリア５ｂに利用者の氏名を入力し、住所入力エリア５ｃに利用者の住所を入力するとともに、電話番号入力エリア５ｄに利用者の電話番号を入力した後、確認ボタン５ｃをクリックする。確認ボタン５ｃをクリックすると、ディスプレイ１５には、図６に示す医療データ送信画面が表示される。なお、２回目以降の医療データの送信時には、利用者番号がサーバ１１から提供されているから、利用者番号入力エリア５ａに利用者番号を入力し、その他の入力エリア５ｂ〜５ｄの入力を省略することができる。
【００６９】
コンピュータ１２Ａは、利用者番号、または、氏名や住所、電話番号によって医療データを送信する利用者やデータ入力者の真正性を判断し、真正性ありと判断した場合、図６の医療データ送信画面を表示し、真正性なしと判断した場合、エラーメッセージをディスプレイ１５に表示する。図６の医療データ送信画面には、利用者番号表示エリア６ａ、氏名表示エリア６ｂ、住所表示エリア６ｃ、電話番号表示エリア６ｄ、医療データ表示エリア６ｅ、送信ボタン６ｆ、メニュー画面ボタン６ｇ、閉じるボタン６ｈが表示される。
【００７０】
医療データ表示エリア６ｃのプルダウンリストには、過去から現在までの医療データの入力日時が表示される。利用者やデータ入力者が医療データ表示エリア６ｃのプルダウンリストから特定の医療データを選択し、その医療データをクリックすると、図示はしていないが、その医療データの詳細表示画面がディスプレイ１５に表示される。利用者や入力者は、医療データ詳細表示画面を見ることで、所定の時点（過去〜現在）における利用者の医療データを知ることができる。
【００７１】
図６の医療データ送信画面において、利用者やデータ入力者が利用者番号表示エリア６ａに表示された利用者番号、氏名表示エリア６ｂに表示された氏名、住所表示エリア６ｃに表示された住所、電話番号表示エリア６ｄに表示された電話番号、医療データ表示エリア６ｃに表示された日時を確認した後、送信ボタン６ｄをクリックすると、コンピュータ１２Ａは、医療データの入力日時を参照しつつ、今回入力された医療データ（最新の医療データ）と前回入力された医療データ（直近過去の医療データ）とを比較し、最新の医療データと直近過去の医療データとの相違点を表示する（相違点表示手段）。なお、任意入力の医療データが入力されていない場合は、それに対応する比較エリアがブランクになる。
【００７２】
ディスプレイ１５には、図７に示すデータ比較画面が表示される。図７のデータ比較画面には、既往症情報比較エリア７ａ、現病歴情報比較エリア７ｂ、薬歴情報比較エリア７ｃ、常備薬情報比較エリア７ｄ、アレルギー情報比較エリア７ｅ、主治医医療機関情報比較エリア７ｆ、主治医情報比較エリア７ｇ、感染症情報比較エリア７ｈ、検査結果情報比較エリア７ｉ、障害情報比較エリア７ｊ、特記事項情報比較エリア７ｋ、送信決定ボタン７ｌ、再入力ボタン７ｍ、戻るボタン３ｎ、メニュー画面ボタン３ｏ、閉じるボタン３ｐが表示される。
【００７３】
既往症情報比較エリア７ａには、今回入力された既往症情報（最新の医療データ）と前回入力された既往症情報（直近過去の医療データ）とが表示され、現病歴情報比較エリア７ｂには、今回入力された現病歴情報と前回入力された現病歴情報とが表示され、薬歴情報比較エリア７ｃには、今回入力された薬歴情報と前回入力された薬歴情報とが表示される。常備薬情報比較エリア７ｄには、今回入力された常備薬情報と前回入力された常備薬情報とが表示され、アレルギー情報比較エリア７ｅには、今回入力されたアレルギー情報と前回入力されたアレルギー情報とが表示され、主治医医療機関情報比較エリア７ｆには、今回入力された主治医医療機関情報と前回入力された主治医医療機関情報とが表示される。
【００７４】
主治医情報比較エリア７ｇには、今回入力された主治医情報（最新の医療データ）と前回入力された主治医情報（直近過去の医療データ）とが表示され、感染症情報比較エリア７ｈには、今回入力された感染症情報と前回入力された感染症情報とが表示され、検査結果情報比較エリア７ｉには、今回入力された検査結果情報と前回入力された検査結果情報とが表示される。障害情報比較エリア７ｊには、今回入力された障害情報と前回入力された障害情報とが表示され、特記事項情報比較エリア７ｋには、今回入力された特記事項情報と前回入力された特記事項情報とが表示される。
【００７５】
なお、今回入力された情報と前回入力された情報とが相違する場合、相違する比較エリアが反転する。利用者やデータ入力者は、反転した比較エリアを見ることで、入力された医療データの相違点を知ることができる。医療データが大きく異なり、今回入力した医療データの修正が必要な場合、または、今回入力した医療データの過誤を発見し、医療データの修正が必要な場合、再入力ボタン７ｍをクリックする。再入力ボタン７ｍをクリックすると、図３の医療データ入力画面がディスプレイ１５に表示され、図３の医療データ入力画面において医療データを再度入力し、医療データを修正する（個人情報の修正が含まれる場合がある）。
【００７６】
医療データ管理システム１０は、コンピュータ１２Ａにおいて今回入力された情報（最新の医療データ）と前回入力された情報（直近過去の医療データ）との相違点が表示されるから、利用者や入力者が医療データの相違点を知ることができ、相違点がなくまたは相違点が少ない場合、医療データ（ＱＲコード）の修正不要や更新不要を判断することができるとともに、大きな相違点がある場合、医療データ（ＱＲコード）の修正要や更新要を判断することができる。
【００７７】
図７のデータ比較画面を確認した利用者やデータ入力者がその利用者の医療データをサーバ１１に送信するには、送信決定ボタン７ｌをクリックする。送信決定ボタン７ｌをクリックすると、コンピュータ１２Ａは、インターネット１４に接続するとともに、サーバ１１のＵＲＬを使用してサーバ１１にアクセスかつログインする。次に、コンピュータ１２Ａは、今回入力された医療データ（最新の医療データ）とコンピュータ１２Ａの端末識別情報と医療データの送信日時（医療データの入力日時を含む）とをサーバ１１に送信する（医療データ送信手段）。
【００７８】
最初の医療データをサーバ１１に送信してから所定の時間が経過し、利用者の体調変化等によって医療データを修正（更新）する必要が生じる場合がある。この場合、利用者またはデータ入力者は、図２のメニュー画面から既述の手順であらたな医療データの入力を行い、その医療データをサーバ１１に送信する。コンピュータ１２Ａは、あらたに入力された医療データおよび入力日時を端末識別情報に関連づけた状態で記憶領域に記憶し（医療データ記憶手段）、あらたに入力された医療データ（最新の医療データ）とコンピュータ１２Ａの端末識別情報と医療データの送信日時（医療データの入力日時を含む）とをサーバ１１に送信する（医療データ送信手段）。
【００７９】
コンピュータ１２Ａから医療データや端末識別情報、送信日時（入力日時を含む）を受信したサーバ１１は、コンピュータ１２Ａから送信された医療データおよびその医療データの送信日時をＱＲコード（暗号化された二次元コード）に変換するＱＲコード変換手段（二次元コード変換手段）。換言すれば、コンピュータ１２Ａから医療データが送信されると、その医療データに対応するＱＲコードを生成する。ＱＲコード変換手段（二次元コード変換手段）においてサーバ１１は、各利用者に対応したユニークな利用者番号を生成する。
【００８０】
次に、サーバ１１は、生成したＱＲコードを暗号化する（ＱＲコード暗号化手段（二次元コード暗号化手段））。ＱＲコードの暗号化では、医療データおよび送信日時をＱＲコードに変換する度毎に、あらたなパスワード（鍵）を生成し、そのパスワードをＱＲコードに設定する。なお、医療データがスマートフォン１２ＢやタブレットＰＣ１２Ｃ、携帯電話１２Ｄから送信された場合も同様に、医療データおよびその医療データの送信日時をＱＲコードに変換し、そのＱＲコードを暗号化する。
【００８１】
サーバ１１は、ＱＲコードをコンピュータ１２Ａの端末識別情報、送信日時（入力日時を含む）、利用者番号（または、スマートフォン１２ＢやタブレットＰＣ１２Ｃ、携帯電話１２Ｄの端末識別情報、送信日時、利用者番号）に関連づけた状態で記憶領域に記憶する（ＱＲコード・日時記憶手段（二次元コード・日時記憶手段））。サーバ１１は、暗号化されたＱＲコード（暗号化された二次元コード）および送信日時をそのＱＲコードに対応する医療データを送信したコンピュータ１２Ａ（または、スマートフォン１２ＢやタブレットＰＣ１２Ｃ、携帯電話１２Ｄ）に送信する（ＱＲコード送信手段（二次元コード送信手段））。
【００８２】
サーバ１１は、コンピュータ１２Ａから医療データが送信される度毎にその医療データをＱＲコードに変換し（ＱＲコード変換手段（二次元コード変換手段））、そのＱＲコードを暗号化する（ＱＲコード暗号化手段（二次元コード暗号化手段））。換言すれば、コンピュータ１２Ａからあらたな医療データが送信される度毎に、そのあらたな医療データに対応するあらたなＱＲコードを生成し、そのＱＲコードを暗号化する。
【００８３】
サーバ１１は、あらたに生成したＱＲコード（医療データが送信される度毎に生成したＱＲコード）をコンピュータ１２Ａの端末識別情報、送信日時（入力日時を含む）、利用者番号に関連づけた状態で記憶領域に記憶する（ＱＲコード・日時記憶手段（二次元コード・日時記憶手段））。サーバ１１は、医療データが送信される度毎に変換された最新のＱＲコードおよび送信日時（入力日時を含む）をコンピュータ１２Ａに送信するとともに（ＱＲコード送信手段（二次元コード送信手段））、医療データ更新情報をコンピュータ１２Ａに送信する。
【００８４】
コンピュータ１２Ａは、サーバ１１から送信されたＱＲコード（暗号化されたＱＲコード）および送信日時（入力日時を含む）を受信する（ＱＲコード受信手段（二次元コード受信手段））。ディスプレイ１５には、図８に示すＱＲコード受信画面が表示される。図８のＱＲコード受信画面には、利用者の氏名を表示した氏名表示エリア８ａ、利用者の利用者番号を表示した利用者番号表示エリア８ｂ、送信日時を表示した送信日時表示エリア８ｃ、サーバ１１から送信されたＱＲコードを表示したＱＲコード表示エリア８ｄ、受信確認ボタン８ｅが表示される。２回目以降のＱＲコードが送信される場合、図示はしていないが、図８のＱＲコード受信画面に医療データ更新メッセージ（医療データ更新情報）が表示される。利用者またはデータ入力者は、医療データ更新メッセージを見ることで、医療データやＱＲコードが更新されたことを確認することができる。
【００８５】
利用者またはデータ入力者が受信確認ボタン８ｄをクリックすると、コンピュータ１２Ａは、ＱＲコードおよび送信日時（入力日時を含む）を利用者番号、端末識別情報に関連づけた状態で記憶領域に記憶するＱＲコード記憶手段（二次元コード記憶手段）。なお、２回目以降のＱＲコードがサーバ１１から送信された場合、ＱＲコード記憶手段（二次元コード記憶手段）では、送信日時（または入力日時）から最新の送信日時（または入力日時）か過去の送信日時（または入力日時）かを判断し、過去の送信日時（または入力日時）に対応するＱＲコードを最新の送信日時（または入力日時）に対応するＱＲコードに更新しつつ、過去の送信日時（または入力日時）のＱＲコードを消去する。したがって、過去の医療データを変換したＱＲコードがコンピュータ１２Ａに残存することはない。
【００８６】
医療データ管理システム１０は、コンピュータ１２Ａ（または、スマートフォン１２Ｂ、タブレットＰＣ１２Ｃ、携帯電話１２Ｄ）（端末装置）がそれに入力された各種の医療データをサーバ１１に送信し、サーバ１１がその医療データをＱＲコード（二次元コード）に変換するとともに、そのＱＲコードをそれに対応する医療データを送信したコンピュータ１２Ａ（または、スマートフォン１２Ｂ、タブレットＰＣ１２Ｃ、携帯電話１２Ｄ）に送信し、コンピュータ１２Ａ（または、スマートフォン１２Ｂ、タブレットＰＣ１２Ｃ、携帯電話１２Ｄ）がサーバ１１から送信されたＱＲコードを受信しつつ、そのＱＲコードを記憶するから、利用者に自己の各種の医療データをＱＲコードとして一元的に保持させることができ、医療データの亡失や医療データの紛失を防ぐことができる。
【００８７】
図９は、コンピュータ１２Ａのディスプレイ１５に表示されたＱＲコード確認画面の一例を示す図であり、図１０は、コンピュータ１２Ａのディスプレイ１５に表示されたＱＲコードに対応する医療データ表示画面の一例を示す図である。図９，１０では、ディスプレイ１５の他の操作ボタンやアイコン等の図示を省略するとともに、各表示エリアに表示される情報（項目）の図示を省略している。ＱＲコードに対応する医療データを確認するには、図２のメニュー画面の医療データ表示ボタン２ｃをクリックする。
【００８８】
医療データ表示ボタン２ｃをクリックすると、ディスプレイ１５には、図９に示すＱＲコード確認画面が表示される。図９のＱＲコード確認画面には、利用者の氏名を表示した氏名表示エリア９ａ、利用者の利用者番号を表示した利用者番号表示エリア９ｂ、医療データの送信日時を表示した送信日時表示エリア９ｃ、ＱＲコードを表示したＱＲコード表示エリア９ｄ、医療データ表示ボタン９ｅ、メニュー画面ボタン９ｆ、閉じるボタン９ｇが表示される。
【００８９】
送信日時表示エリア９ｃに表示された送信日時やＱＲコード表示エリア９ｄに表示されたＱＲコードを確認した利用者またはデータ入力者が医療データ表示ボタン９ｅをクリックすると、図１０に示す医療データ表示画面がディスプレイ１５に表示される（医療データ表示手段）。医療データ表示画面に表示された医療データは、図９のＱＲコード確認画面に表示されたＱＲコードに対応するそれである。
【００９０】
図１０の医療データ表示画面には、利用者の既往症を表示した既往症情報表示エリア１０ａ、現病歴を表示した現病歴情報表示エリア１０ｂ、薬歴を表示した薬歴情報表示エリア１０ｃ、常備薬を表示した常備薬情報表示エリア１０ｄ、アレルギーを表示したアレルギー情報表示エリア１０ｅ、主治医医療機関を表示した主治医医療機関情報表示エリア１０ｆ、主治医を表示した主治医情報表示エリア１０ｇ、感染症を表示した感染症情報表示エリア１０ｈ、検査結果を表示した検査結果情報表示エリア１０ｉ、障害情報を表示した障害情報表示エリア１０ｊ、特記事項を表示した特記事項情報表示エリア１０ｋが表示される。さらに、ＱＲコードを表示したＱＲコード表示エリア１０ｌ、印刷ボタン１０ｍ、戻るボタン１０ｎ、メニュー画面ボタン１０ｏ、閉じるボタン１０ｐが表示される。印刷ボタン１０ｍをクリックすることで、医療データ表示画面に表示された医療データをＱＲコードとともに印刷することができる。
【００９１】
医療データ管理システム１０は、コンピュータ１２Ａ（端末装置）が最新のＱＲコード（二次元コード）に対応する医療データを表示することで、利用者やデータ入力者がそのＱＲコードに変換された医療データの詳細を知ることができ、利用者やデータ入力者がそのＱＲコードに対応する医療データが正しいデータであるかまたは間違ったデータを含んでいるかを判断することができる。医療データ管理システム１０は、ＱＲコードに対応する医療データに間違った医療データが含まれている場合、利用者やデータ入力者がそれを判断することができるから、正しい医療データをサーバ１１に送信し、その医療データをＱＲコードに変換させることで、間違った医療データが含まれるＱＲコードを正しい医療データのそれに変更することができる。
【００９２】
図１１は、コンピュータ１２Ａのディスプレイ１５に表示されたＱＲコード表示画面の一例を示す図であり、図１２は、印字されたＱＲコードシール１７の一例を示す図である。図１１では、ディスプレイ１５の他の操作ボタンやアイコン等の図示を省略するとともに、各表示エリアに表示される情報（項目）の図示を省略している。ＱＲコードをディスプレイ１５に表示するには、図２のメニュー画面のＱＲコード表示ボタン２ｄをクリックする。
【００９３】
ＱＲコード表示ボタン２ｄをクリックすると、ディスプレイ１５には、図１１に示すＱＲコード表示画面が表示される（ＱＲコード表示手段（二次元コード表示手段））。図１１のＱＲコード表示画面には、利用者の氏名を表示した氏名表示エリア１１ａ、利用者の利用者番号を表示した利用者番号表示エリア１１ｂ、医療データの送信日時を表示した送信日時表示エリア１１ｃ、ＱＲコードを表示したＱＲコード表示エリア１１ｄ、キャプチャーボタン１１ｅ、メニュー画面ボタン１１ｆ、閉じるボタン１１ｇが表示される。
【００９４】
キャプチャーボタン１１ｅをクリックすることで、二次元コードリーダ１３がＱＲコードを読み取ることができるように、ディスプレイ１５にＱＲコードのみが表示される。この状態で、ディスプレイ１５（またはタッチパネル１５）から直接ＱＲコードを読み取ることができる。なお、ＱＲコード表示エリア１１ｄに表示されたＱＲコードをクリックすると、ＱＲコードに対応した医療データの詳細を示す図１０の医療データ表示画面がディスプレイ１５に表示される。
【００９５】
ＱＲコードを印字するには、図２のメニュー画面のＱＲコード印字ボタン２ｅをクリックする。ＱＲコード印字ボタン２ｅをクリックすると、図示はしていないが、ＱＲコード印刷画面がディスプレイ１５に表示される。ＱＲコード印刷画面には、利用者の氏名を表示した氏名表示エリア、利用者の利用者番号を表示した利用者番号表示エリア、医療データの送信日時を表示した送信日時表示エリア、ＱＲコードを表示したＱＲコード表示エリア、印刷ボタン、メニュー画面ボタン、閉じるボタンが表示される。
【００９６】
印刷ボタンをクリックすることで、プリンタによってＱＲコードが印字される（ＱＲコード印字手段（二次元コード印字手段））。なお、データ入力者が保有するプリンタでＱＲコードが印字されたものとする。プリンタでは、ＱＲコードを印字した図１２のＱＲコードシール１７が作られる。ＱＲコードシール１７は、その印刷面１８にＱＲコードおよび利用者番号が印字され、その貼付面１９に粘着剤（図示せず）が塗布されており、その粘着剤が剥離紙（図示せず）によって被覆保護されている。
【００９７】
データ入力者は、ＱＲコードシール１７を利用者の自宅（生活拠点）の指定の箇所に貼付するように指示する。指定の箇所は、たとえば、冷蔵庫の扉やトイレの扉、玄関の下駄箱の正面等である。利用者は、ＱＲコードシール１７の剥離紙を剥がし、粘着剤を介してＱＲコードシール１７を指定の箇所に貼付する。なお、利用者が保有するプリンタでＱＲコードが印字された場合、ＱＲコードが印字されたＱＲコードシート（紙またはフィルム）の裏面に接着剤を塗布し、接着剤を介してＱＲコードシートを指定の箇所に貼付する。
【００９８】
図１３は、サーバ１１と救急車１９（緊急車両）と病院２０（医療機関）との間の情報の送受信を説明する図であり、図１４は、二次元コードリーダ１３が接続されたコンピュータ１６のディスプレイ１８に表示された医療データ閲覧画面の一例を示す図である。図１５は、コンピュータ１６のディスプレイ１８に表示された送信日付確認画面の一例を示す図であり、図１６は、コンピュータ１６のディスプレイ１８に表示された病院検索・データ送信画面の一例を示す図である。図１４〜図１６では、ディスプレイ１８の他の操作ボタンやアイコン等の図示を省略するとともに、各表示エリアに表示される情報（項目）の図示を省略している。
【００９９】
以下、ＱＲコードシール１７やＱＲコードシートを自宅の指定の箇所に貼付した後、利用者が体調を崩し、救急車１９を呼んだ場合を例として医療データ管理システム１０を説明する。なお、図１３では、１台の救急車１９および１棟の病院２０を図示しているが、実際には複数台の救急車１９および複数棟の病院２０がシステム１０を利用している。救急車１９には、ハンディタイプの二次元コードリーダ１３が車載され、二次元コードリーダ１３が無線によって接続されたコンピュータ１６が設置されている。救急車１９に乗り込む救急隊員にはＱＲコードの貼付箇所が知らされている。
【０１００】
利用者またはその家族（一人暮らしの場合は利用者）が救急車１９を呼び、救急車１９が自宅に到着した後、二次元コードリーダ１３を所持して救急隊員が利用者の自宅に入る。次に、一人の救急隊員がＱＲコードの貼付箇所に行き、二次元コードリーダ１３によってＱＲコードを読み込む。なお、ＱＲコードが貼付箇所から剥がれ、または、ＱＲコードが破損し、ＱＲコードを読み取ることができない場合、コンピュータ１２Ａ（またはスマートフォン１２Ｂ、タブレットＰＣ１２Ｃ、携帯電話１２Ｄ）のディスプレイ１５（またはタッチパネル１５）からＱＲコードを読み込む。
【０１０１】
ＱＲコードを読み込むと、そのＱＲコードが二次元コードリーダ１３からコンピュータ１６に転送される。なお、コンピュータ１６には、医療データおよび送信日時をＱＲコードに変換するときに生成されたパスワード（鍵）がサーバ１１から送信され、または、サーバ１１を管理する管理事業者から通知されている。コンピュータ１６は、パスワード（鍵）を使用し、二次元コードリーダ１３が読み取ったＱＲコードを復号化する（ＱＲコード復号化手段（二次元コード復号化手段））。コンピュータ１６は、復号化したＱＲコードを利用者の医療データおよび送信日時に変換し（医療データ変換手段）、医療データ変換手段によって変換した医療データおよび送信日時をディスプレイ１８に表示する（医療データ出力手段）。ディスプレイ１８には、図１４に示す医療データ閲覧画面が表示される。
【０１０２】
図１４の医療データ閲覧画面には、利用者の氏名を表示した氏名表示エリア１４ａ、住所を表示した住所表示エリア１４ｂ、生年月日を表示した生年月日表示エリア１４ｃ、電話番号を表示した電話番号表示エリア１４ｄ、性別を表示した性別表示エリア１４ｅ、血液型を表示した血液型表示エリア１４ｆ、身長を表示した身長表示エリア１４ｇ、体重を表示した体重表示エリア１４ｈ、ＧＨ抗体を表示したＧＨ抗体表示エリア１４ｉ、メールアドレスを表示したメールアドレス表示エリア１４ｊが表示されるとともに、既往症を表示した既往症情報表示エリア１４ｋ、現病歴を表示した現病歴情報表示エリア１４ｌ、薬歴を表示した薬歴情報表示エリア１４ｍ、常備薬を表示した常備薬情報表示エリア１４ｎ、アレルギーを表示したアレルギー情報表示エリア１４ｏ、主治医医療機関を表示した主治医医療機関情報表示エリア１４ｐ、主治医を表示した主治医情報表示エリア１４ｑ、感染症を表示した感染症情報表示エリア１４ｒ、検査結果を表示した検査結果情報表示エリア１４ｓ、障害情報を表示した障害情報表示エリア１４ｔ、特記事項を表示した特記事項情報表示エリア１４ｕが表示される。さらに、送信日時が表示された送信日時表示エリア１４ｖ、印刷ボタン１４ｗ、送信日時照会ボタン１４ｘ、医療データ送信ボタン１４ｙ、閉じるボタンｚが表示される。
【０１０３】
印刷ボタン１４ｗをクリックすることで、医療データ閲覧画面に表示された医療データ（送信時間を含む）を印刷することができる（医療データ出力手段）。救急隊員は、ＱＲコードから変換された医療データの送信日時をサーバ１１に送信し、その医療データの送信日時が最新の送信日時かまたは過去の送信日時を問い合わせることができる。送信日時の問い合わせをするには、図１４の医療データ閲覧画面の送信日時照会ボタン１４ｘをクリックする。送信日時照会ボタン１４ｘをクリックすると、コンピュータ１６は、二次元コードリーダ１３によって読み取ったＱＲコード、送信日時、端末識別情報、利用者番号をサーバ１１に送信する（ＱＲコード・日時送信手段（二次元コード・日時送信手段））。
【０１０４】
サーバ１１は、コンピュータ１６から送信された端末識別情報、利用者番号を、記憶領域に記憶した端末識別情報、利用者番号と照合して利用者を特定し、特定した利用者の過去から現在までのＱＲコードとその送信日時とを抽出する。次に、コンピュータ１６から送信された送信日時と記憶領域から抽出した送信日時とを照合し、コンピュータ１６から送信された送信日時が最新の送信日時かまたは過去の送信日時かを判断する（送信日時判断手段）。サーバ１１は、日時判断手段によって判断した最新の送信日時または過去の送信日時をコンピュータ１６（二次元コードリーダ１３）に送信する（送信日時送信手段）。
【０１０５】
コンピュータ１６（二次元コードリーダ１３）は、サーバ１１から送信された最新の送信日時または過去の送信日時を受信し（送信日時受信手段）、サーバ１１から受信した最新の送信日時または過去の送信日時を表示する（送信日時表示手段）。ディスプレイ１８には、図１５に示す送信日付確認画面が表示される。図１５の送信日付確認画面には、利用者の氏名を表示した氏名表示エリア１５ａ、利用者番号を表示した利用者番号表示エリア１５ｂ、照合対象の送信日時を表示した照合対象送信日時表示エリア１５ｃ、最新の送信日時かまたは過去の送信日時かを表示する最新判断表示エリア１５ｄ、利用者の最新の送信日時を表示する最新送信日時表示エリア１５ｅ、印刷ボタン１５ｆ、戻るボタン１５ｇ、閉じるボタン１５ｈが表示される。
【０１０６】
最新の送信日時かまたは過去の送信日時かを表示する最新判断表示エリア１５ｄには、照合対象の送信日時が最新の送信日時である場合、○が表示され、照合対象の送信日時が最新の送信日時ではなく過去の送信日時である場合、×が表示される。最新送信日時表示エリア１５ｅには、その利用者の医療データの最新の送信日時が表示される。
【０１０７】
救急隊員は、ＱＲコードから変換した利用者の医療データを病院２０（医療機関）に送信することができる。医療データを病院２０に送信するには、図１４の医療データ閲覧画面の医療データ送信ボタン１４ｙをクリックする。医療データ送信ボタン１４ｙをクリックすると、ディスプレイ１８には、図１６に示す病院検索・データ送信画面が表示される。図１６の病院検索・データ送信画面には、病院検索エリア１６ａ、データ送信ボタン１６ｂ、戻るボタン１６ｃ、閉じるボタン１６ｄが表示される。
【０１０８】
病院検索エリア１６ａには、複数の病院の病院名、それら病院の住所、それら病院の電話番号、それら病院のＵＲＬが表示される。救急隊員は、病院検索エリア１６ａにおいて病院を選択してその病院を反転させ、医療データを送信する病院を特定した後、データ送信ボタン１６ｂをクリックする。データ送信ボタン１６ｂをクリックすると、コンピュータ１６は、インターネット１４に接続し、特定された病院のＵＲＬを使用してその病院２０のサーバ（コンピュータ）にアクセスかつログインし、図１４の医療データ閲覧画面に表示された医療データを病院２０のサーバに送信する（変換医療データ送信手段）。病院２０のサーバに接続されたディスプレイには、図１４の医療データ閲覧画面と同一の画面が表示される。
【０１０９】
医療データ管理システム１０は、利用者の緊急時や要保護時、要介護時に二次元コードリーダ１３（光学読取装置）を利用してＱＲコード（二次元コード）を読み取り、ＱＲコードから変換した医療データを出力するから、ＱＲコードを利用してその利用者の各種の医療データを取得することができる。医療データ管理システム１０は、利用者の緊急時や要保護時、要介護時にその利用者の医療データを救急隊員や介助者、介護者が即座に確認することができ、利用者の医療データを利用して、救急隊員や介助者、介護者が利用者に施すべき医療措置や保護行為、介護行為を的確に判断することができる。
【０１１０】
医療データ管理システム１０は、利用者が一人暮らしの老人であり、緊急時や要保護時、要介護時に利用者が医療データを提示することができない場合でも、二次元コードを利用してその利用者の各種の医療データを救急隊員や介助者、介護者が所得することができ、利用者の各種の医療データを救急隊員や介助者、介護者が速やかに知ることができる。医療データ管理システム１０は、二次元コードリーダ１３が読み取った二次元コード（医療データ）の送信日時が最新の送信日時か過去の送信日時かを判断することができるから、救急隊員や介助者、介護者が最新の医療データに基づいて医療措置や保護行為、介護行為を的確に行うことができ、過去の医療データに基づいて医療措置や保護行為、介護行為が行われる判断ミスを確実に防ぐことができる。
【０１１１】
医療データ管理システム１０は、利用者の自宅（生活拠点）の指定の箇所にＱＲコードを貼付することで、利用者の緊急時や要介護時、要介護時にその利用者の自宅に到着した救急隊員や介助者、介護者がＱＲコードの場所を探す手間と時間とを省くことができ、二次元コードリーダ１３によって指定箇所に貼付されたＱＲコードを即座に読み取ることができるとともに、利用者の緊急時や要保護時、要介護時に迅速に対処することができる。
【０１１２】
医療データ管理システム１０は、ＱＲコードを暗号化することで、権限のない第三者にそのＱＲコードが読み取られることがなく、正当な権限を有する救急隊員や介助者、介護者のみがそのＱＲコードに対応する医療データを確認することができる。医療データ管理システム１０は、ＱＲコードのセキュリティーを向上させることができ、利用者の医療データの盗取や改竄、悪用を防ぐことができるとともに、利用者のプライバシーを保護することができる。
【符号の説明】
【０１１３】
１０    医療データ管理システム
１１    サーバ
１２    第１〜第ｎ端末装置
１２Ａ  パーソナルコンピュータ
１２Ｂ  スマートフォン
１２Ｃ  タブレットＰＣ
１２Ｄ  携帯電話
１３    二次元コードリーダ（光学読取装置）
１４    インターネット
１５    ディスプレイ
１６    コンピュータ
１７    ＱＲコードシール
１８    ディスプレイ
１９    救急車
２０    病院（医療機関）
【図１】
0006601603.tif 000002
【図２】
0006601603.tif 000003
【図３】
0006601603.tif 000004
【図４】
0006601603.tif 000005
【図５】
0006601603.tif 000006
【図６】
0006601603.tif 000007
【図７】
0006601603.tif 000008
【図８】
0006601603.tif 000009
【図９】
0006601603.tif 000010
【図１０】
0006601603.tif 000011
【図１１】
0006601603.tif 000012
【図１２】
0006601603.tif 000013
【図１３】
0006601603.tif 000014
【図１４】
0006601603.tif 000015
【図１５】
0006601603.tif 000016
【図１６】
0006601603.tif 000017